(57)【要約】
2015526947.tif 000066【選択図】図２
2015526947.tif 000002
【特許請求の範囲】
【請求項１】
肯定応答/否定応答ＡＣＫ/ＮＡＣＫフィードバック・ビット数の確定方法であって、
端末が異なるＴＤＤアップリンク/ダウンリンク構造を有するキャリアをアグリゲーションした場合、前記端末がＰＤＣＣＨに対応するＰＵＳＣＨにおいてＡＣＫ/ＮＡＣＫフィードバックを行い、且つ前記ＰＤＣＣＨにダウンリンク割り当てインデックスＤＡＩフィールドが含まれば、
前記方法は、
前記端末によりアグリゲーションしたキャリアに第１種キャリアがあるかを判断するステップと、
第１種キャリアがあれば、第１種方法で、前記端末によりアグリゲーションされた各キャリアｃ上の、現在アップリンクサブフレームにおいてＡＣＫ/ＮＡＣＫフィードバックをすべくダウンリンクサブフレーム数を確定するステップと、
第１種キャリアがなければ、第２種方法で、前記端末によりアグリゲーションされた各キャリアｃ上の、現在アップリンクサブフレームにおいてＡＣＫ/ＮＡＣＫフィードバックをすべくダウンリンクサブフレーム数を確定するステップと、
各キャリアｃ上の、現在アップリンクサブフレームにおいてＡＣＫ/ＮＡＣＫフィードバックをすべくダウンリンクサブフレーム数に基づいて、現在アップリンクサブフレームにおけるフィードバックすべくＡＣＫ/ＮＡＣＫフィードバック・ビット数を確定するステップとを備え、
前記第１種キャリアは、基準ＴＤＤアップリンク/ダウンリンク構造が第１種ＴＤＤアップリンク/ダウンリンク構造であるキャリアであり、
前記第１種ＴＤＤアップリンク/ダウンリンク構造は、１個のアップリンクサブフレームに対応するインデックス集合におけるエリメント数が４より大きいＴＤＤアップリンク/ダウンリンク構造であるか、または、キャリアの基準ＴＤＤアップリンク/ダウンリンク構造により示される１個のアップリンクサブフレームに対応するインデックス集合に基づいて、確定した前記キャリア上のダウンリンクサブフレーム集合のうちの、ＡＣＫ/ＮＡＣＫフィードバックを行うべくダウンリンクサブフレーム数が４より大きいキャリであり、
前記基準ＴＤＤアップリンク/ダウンリンク構造は、キャリア上のダウンリンクサブフレームと、ＡＣＫ/ＮＡＣＫフィードバック情報を伝送するアップリンクサブフレームとの対応関係を確定するＴＤＤアップリンク/ダウンリンク構造であることを特徴とする肯定応答/否定応答ＡＣＫ/ＮＡＣＫフィードバック・ビット数の確定方法。
【請求項２】
2015526947.tif 000042
【請求項３】
2015526947.tif 000043
【請求項４】
2015526947.tif 000044
【請求項５】
2015526947.tif 000045
【請求項６】
2015526947.tif 000046
2015526947.tif 000047
【請求項７】
2015526947.tif 000048
2015526947.tif 000049
【請求項８】
2015526947.tif 000050
2015526947.tif 000051
2015526947.tif 000052
【請求項９】
2015526947.tif 000053
2015526947.tif 000054
【請求項１０】
2015526947.tif 000055
【請求項１１】
前記端末によりアグリゲーションされた各キャリアｃ上の現在アップリンクサブフレームにおいてＡＣＫ/ＮＡＣＫフィードバックをすべくダウンリンクサブフレーム数を確定する前に、前記方法は、
キャリアｃのＭｃが０であるかを判断し、Ｍｃが０であれば、キャリアｃ上の現在アップリンクサブフレームにおいてＡＣＫ/ＮＡＣＫフィードバックすべくサブフレーム数が０であると確定することを特徴とする請求項１乃至１０のいずれか１つに記載の肯定応答/否定応答ＡＣＫ/ＮＡＣＫフィードバック・ビット数の確定方法。
【請求項１２】
ＡＣＫ/ＮＡＣＫフィードバック・ビット数の確定装置であって、
端末が異なるＴＤＤアップリンク/ダウンリンク構造を有するキャリアをアグリゲーションした場合、前記端末がＰＤＣＣＨに対応するＰＵＳＣＨにてＡＣＫ/ＮＡＣＫフィードバックを行い、且つ前記ＰＤＣＣＨにＤＡＩフィールドが含まれば、前記装置は、
前記端末によりアグリゲーションしたキャリアに第１種キャリアがあるかを判断し、前記第１種キャリアは、基準ＴＤＤアップリンク/ダウンリンク構造が第１種ＴＤＤアップリンク/ダウンリンク構造であるキャリアであり、前記第１種ＴＤＤアップリンク/ダウンリンク構造は、１個のアップリンクサブフレームに対応するインデックス集合におけるエリメント数が４より大きいＴＤＤアップリンク/ダウンリンク構造であるか、または、キャリアの基準ＴＤＤアップリンク/ダウンリンク構造により示される１個のアップリンクサブフレームに対応するインデックス集合に基づいて、確定した前記キャリア上のダウンリンクサブフレーム集合のうちの、ＡＣＫ/ＮＡＣＫフィードバックを行うべくダウンリンクサブフレーム数が４より大きいキャリアであり、前記基準ＴＤＤアップリンク/ダウンリンク構造は、キャリア上のダウンリンクサブフレームと、ＡＣＫ/ＮＡＣＫフィードバック情報を伝送するアップリンクサブフレームとの対応関係を確定するＴＤＤアップリンク/ダウンリンク構造である、キャリア種類判断モジュールと、
第１種キャリアがあると前記キャリア種類判断モジュールにより判断する場合、第１種方法で、前記端末によりアグリゲーションされた各キャリアｃ上の、現在アップリンクサブフレームにおいてＡＣＫ/ＮＡＣＫフィードバックをすべくダウンリンクサブフレーム数を確定する、第１フィードバックサブフレーム数確定モジュールと、
第１種キャリアがないと前記キャリア種類判断モジュールにより判断する場合、第２種方法で、前記端末によりアグリゲーションされた各キャリアｃ上の、現在アップリンクサブフレームにおいてＡＣＫ/ＮＡＣＫフィードバックをすべくダウンリンクサブフレーム数を確定する、第２フィードバックサブフレーム数確定モジュールと、
各キャリアｃ上の、現在アップリンクサブフレームにおいてＡＣＫ/ＮＡＣＫフィードバックをすべくダウンリンクサブフレーム数に基づいて、現在アップリンクサブフレームにおけるフィードバックすべくＡＣＫ/ＮＡＣＫフィードバック・ビット数を確定する、フィードバック・ビット数確定モジュールと、
を備えることを特徴とするＡＣＫ/ＮＡＣＫフィードバック・ビット数の確定装置。
【請求項１３】
2015526947.tif 000056
2015526947.tif 000057
【請求項１４】
2015526947.tif 000058
2015526947.tif 000059
【請求項１５】
2015526947.tif 000060
2015526947.tif 000061
2015526947.tif 000062
2015526947.tif 000063
2015526947.tif 000064
【請求項１６】
2015526947.tif 000065
【請求項１７】
前記装置は、キャリアｃのＭｃが０であるかを判断し、Ｍｃが０であれば、キャリアｃ上の現在アップリンクサブフレームにおいてＡＣＫ/ＮＡＣＫフィードバックすべくサブフレーム数が０であると確定し、Ｍｃが０ではなければ、前記キャリア種類判断モジュールの判断結果に基づいて、前記第１フィードバック・ビット数確定モジュールまたは前記第２フィードバック・ビット数確定モジュールの動作をトリガーする、第３フィードバック・ビット数確定モジュールを備えることを特徴とする請求項１２乃至１６のいずれか１つに記載のＡＣＫ/ＮＡＣＫフィードバック・ビット数の確定装置。
【請求項１８】
前記装置は、端末であるか、または前記装置は、基地局であることを特徴とする請求項１２乃至１６のいずれか１つに記載のＡＣＫ/ＮＡＣＫフィードバック・ビット数の確定装置。
【発明の詳細な説明】
【技術分野】
【０００１】
本発明は通信技術分野に関し、特にＡＣＫ/ＮＡＣＫフィードバック・ビット数の確定方法及び装置に関する。
【背景技術】
【０００２】
2015526947.tif 000003
【０００３】
2015526947.tif 000004
【０００４】
2015526947.tif 000005
2015526947.tif 000006
2015526947.tif 000007
【発明の概要】
【発明が解決しようとする課題】
【０００５】
2015526947.tif 000008
【０００６】
2015526947.tif 000009
【課題を解決するための手段】
【０００７】
ＡＣＫ/ＮＡＣＫフィードバック・ビット数の確定方法であって、端末が異なるＴＤＤアップリンク/ダウンリンク構造を有するキャリアをアグリゲーションした場合、前記端末がＰＤＣＣＨに対応するＰＵＳＣＨにてＡＣＫ/ＮＡＣＫフィードバックを行い、且つ前記ＰＤＣＣＨにＤＡＩフィールドが含まれば、前記方法は、前記端末によりアグリゲーションしたキャリアに第１種キャリアがあるかを判断するステップと、第１種キャリアがあれば、第１種方法で、前記端末によりアグリゲーションされた各キャリアｃ上の、現在アップリンクサブフレームにおいてＡＣＫ/ＮＡＣＫフィードバックをすべくダウンリンクサブフレーム数を確定するステップと、第１種キャリアがなければ、第２種方法で、前記端末によりアグリゲーションされた各キャリアｃ上の、現在アップリンクサブフレームにおいてＡＣＫ/ＮＡＣＫフィードバックをすべくダウンリンクサブフレーム数を確定するステップと、各キャリアｃ上の、現在アップリンクサブフレームにおいてＡＣＫ/ＮＡＣＫフィードバックをすべくダウンリンクサブフレーム数に基づいて、現在アップリンクサブフレームにおけるフィードバックすべくＡＣＫ/ＮＡＣＫフィードバック・ビット数を確定するステップとを備え、前記第１種キャリアは、基準ＴＤＤアップリンク/ダウンリンク構造が第１種ＴＤＤアップリンク/ダウンリンク構造であるキャリアであり、前記第１種ＴＤＤアップリンク/ダウンリンク構造は、１個のアップリンクサブフレームに対応するインデックス集合におけるエリメント数が４より大きいＴＤＤアップリンク/ダウンリンク構造であるか、または、キャリアの基準ＴＤＤアップリンク/ダウンリンク構造により示される１個のアップリンクサブフレームに対応するインデックス集合に基づいて、確定した前記キャリア上のダウンリンクサブフレーム集合のうちの、ＡＣＫ/ＮＡＣＫフィードバックを行うべくダウンリンクサブフレーム数が４より大きいキャリアであり、ここで、前記基準ＴＤＤアップリンク/ダウンリンク構造は、キャリア上のダウンリンクサブフレームと、ＡＣＫ/ＮＡＣＫフィードバック情報を伝送するアップリンクサブフレームとの対応関係を確定するＴＤＤアップリンク/ダウンリンク構造である。
【０００８】
ＡＣＫ/ＮＡＣＫフィードバック・ビット数の確定装置であって、端末が異なるＴＤＤアップリンク/ダウンリンク構造を有するキャリアをアグリゲーションした場合、前記端末がＰＤＣＣＨに対応するＰＵＳＣＨにてＡＣＫ/ＮＡＣＫフィードバックを行い、且つ前記ＰＤＣＣＨにＤＡＩフィールドが含まれば、前記装置は、前記端末によりアグリゲーションしたキャリアに第１種キャリアがあるかを判断し、前記第１種キャリアは、基準ＴＤＤアップリンク/ダウンリンク構造が第１種ＴＤＤアップリンク/ダウンリンク構造であるキャリアであり、前記第１種ＴＤＤアップリンク/ダウンリンク構造は、１個のアップリンクサブフレームに対応するインデックス集合におけるエリメント数が４より大きいＴＤＤアップリンク/ダウンリンク構造であるか、または、キャリアの基準ＴＤＤアップリンク/ダウンリンク構造により示される１個のアップリンクサブフレームに対応するインデックス集合に基づいて、確定した前記キャリア上のダウンリンクサブフレーム集合のうちの、ＡＣＫ/ＮＡＣＫフィードバックを行うべくダウンリンクサブフレーム数が４より大きいキャリアであり、ここで、前記基準ＴＤＤアップリンク/ダウンリンク構造は、キャリア上のダウンリンクサブフレームと、ＡＣＫ/ＮＡＣＫフィードバック情報を伝送するアップリンクサブフレームとの対応関係を確定するＴＤＤアップリンク/ダウンリンク構造である、キャリア種類判断モジュールと、第１種キャリアがあると前記キャリア種類判断モジュールにより判断する場合，第１種方法で、前記端末によりアグリゲーションされた各キャリアｃ上の、現在アップリンクサブフレームにおいてＡＣＫ/ＮＡＣＫフィードバックをすべくダウンリンクサブフレーム数を確定する、第１フィードバックサブフレーム数確定モジュールと、第１種キャリアがないと前記キャリア種類判断モジュールにより判断する場合、第２種方法で、前記端末によりアグリゲーションされた各キャリアｃ上の、現在アップリンクサブフレームにおいてＡＣＫ/ＮＡＣＫフィードバックをすべくダウンリンクサブフレーム数を確定する、第２フィードバックサブフレーム数確定モジュールと、各キャリアｃ上の、現在アップリンクサブフレームにおいてＡＣＫ/ＮＡＣＫフィードバックをすべくダウンリンクサブフレーム数に基づいて、現在アップリンクサブフレームにおけるフィードバックすべくＡＣＫ/ＮＡＣＫフィードバック・ビット数を確定する、フィードバック・ビット数確定モジュールとを備える。
【発明の効果】
【０００９】
2015526947.tif 000010
【図面の簡単な説明】
【００１０】
【図１】帯フィールド間キャリアアグリゲーションを示す図である。
【図２】本発明に係る実施例の方法フローチャートである。
【図３】本発明の１種の応用シナリオにおける基地局側のリソースを示す図である。
【図４】本発明の１種の応用シナリオ中端末側のリソースを示す図である。
【図５】本発明の他の１種の応用シナリオにおけるリソースを示す図である。
【図６】本発明の装置構造図である。
【発明を実施するための形態】
【００１１】
2015526947.tif 000011
2015526947.tif 000012
2015526947.tif 000013
2015526947.tif 000014
【００１２】
2015526947.tif 000015
【００１３】
2015526947.tif 000016
【００１４】
2015526947.tif 000017
2015526947.tif 000018
【００１５】
2015526947.tif 000019
【００１６】
2015526947.tif 000020
2015526947.tif 000021
2015526947.tif 000022
2015526947.tif 000023
【００１７】
2015526947.tif 000024
【００１８】
2015526947.tif 000025
2015526947.tif 000026
2015526947.tif 000027
2015526947.tif 000028
2015526947.tif 000029
2015526947.tif 000030
2015526947.tif 000031
2015526947.tif 000032
2015526947.tif 000033
2015526947.tif 000034
2015526947.tif 000035
【００１９】
2015526947.tif 000036
2015526947.tif 000037
2015526947.tif 000038
2015526947.tif 000039
2015526947.tif 000040
【００２０】
2015526947.tif 000041
【図１】
2015526947.tif 000067
【図２】
2015526947.tif 000068
【図３】
2015526947.tif 000069
【図４】
2015526947.tif 000070
【図５】
2015526947.tif 000071
【図６】
2015526947.tif 000072
【手続補正書】
【提出日】平成26年12月24日(2014.12.24)
【手続補正１】
【補正対象書類名】明細書
【補正対象項目名】０００６
【補正方法】変更
【補正の内容】
【０００６】
2015526947.tif 000073
【手続補正２】
【補正対象書類名】明細書
【補正対象項目名】０００７
【補正方法】変更
【補正の内容】
【０００７】
2015526947.tif 000074
【手続補正３】
【補正対象書類名】明細書
【補正対象項目名】０００８
【補正方法】変更
【補正の内容】
【０００８】
2015526947.tif 000075
【手続補正４】
【補正対象書類名】明細書
【補正対象項目名】０００９
【補正方法】変更
【補正の内容】
【０００９】
2015526947.tif 000076
【手続補正５】
【補正対象書類名】明細書
【補正対象項目名】００１１
【補正方法】変更
【補正の内容】
【００１１】
2015526947.tif 000077
2015526947.tif 000078
2015526947.tif 000079
2015526947.tif 000080
【手続補正６】
【補正対象書類名】明細書
【補正対象項目名】００１２
【補正方法】変更
【補正の内容】
【００１２】
2015526947.tif 000081
【手続補正７】
【補正対象書類名】明細書
【補正対象項目名】００１８
【補正方法】変更
【補正の内容】
【００１８】
2015526947.tif 000082
2015526947.tif 000083
2015526947.tif 000084
2015526947.tif 000085
2015526947.tif 000086
2015526947.tif 000087
2015526947.tif 000088
2015526947.tif 000089
2015526947.tif 000090
2015526947.tif 000091
【手続補正８】
【補正対象書類名】明細書
【補正対象項目名】００１９
【補正方法】変更
【補正の内容】
【００１９】
2015526947.tif 000092
2015526947.tif 000093
2015526947.tif 000094
2015526947.tif 000095
【手続補正９】
【補正対象書類名】特許請求の範囲
【補正対象項目名】全文
【補正方法】変更
【補正の内容】
【特許請求の範囲】
【請求項１】
2015526947.tif 000096
【請求項２】
2015526947.tif 000097
【請求項３】
2015526947.tif 000098
【請求項４】
2015526947.tif 000099
【請求項５】
2015526947.tif 000100
【請求項６】
2015526947.tif 000101
2015526947.tif 000102
2015526947.tif 000103
2015526947.tif 000104
【請求項７】
2015526947.tif 000105
【請求項８】
2015526947.tif 000106
【請求項９】
2015526947.tif 000107
【請求項１０】
2015526947.tif 000108
【請求項１１】
2015526947.tif 000109
【請求項１２】
2015526947.tif 000110
2015526947.tif 000111
2015526947.tif 000112
【請求項１３】
2015526947.tif 000113
【請求項１４】
2015526947.tif 000114
【請求項１５】
2015526947.tif 000115
【国際調査報告】
2015526947.tif 000116
2015526947.tif 000117
2015526947.tif 000118
2015526947.tif 000119
2015526947.tif 000120
2015526947.tif 000121